(57)【要約】      （修正有）【課題】取付が便利であって快速に交換及び修理し易く、交換コストを低下させることのできるモジュール型ソケットを提供すること。【解決手段】ケース１０と、ケース内に可動的に結合されるソケット本体２０と、を含むモジュール型ソケットであって、前記ケースの内部の両側には第１導電ばね片が設けられ、前記ソケット本体の両側には凹溝が設けられ、前記凹溝の内側には第２導電ばね片が対応して設けられ、前記ソケット本体には２つの差込槽２４が設けられ、各差込槽内には前記第２導電ばね片の延出部が配設され、前記第１導電ばね片が前記凹溝に対応して可動的に結合され、前記第１導電ばね片と第２導電ばね片とが互いに可動的に弾性当接される、モジュール型ソケットを提供する。【選択図】図１
0003141489.tif 000002
【実用新案登録請求の範囲】
【請求項１】
ケースと、前記ケース内に可動的に結合されるソケット本体と、を含むモジュール型ソケットであって、
前記ケースの内部の両側には第１導電ばね片が設けられ、
前記ソケット本体の両側には凹溝が設けられ、前記凹溝の内側には第２導電ばね片が対応して設けられ、
前記ソケット本体には２つの差込槽が設けられ、各差込槽内には前記第２導電ばね片の延出部が配設され、
前記第１導電ばね片が前記凹溝に対応して可動的に結合され、前記第１導電ばね片と第２導電ばね片とが互いに可動的に弾性当接される、
モジュール型ソケット。
【請求項２】
前記第１導電ばね片および前記第２導電ばね片は、弧状に曲げられ、互いに可動的に弾性当接されることを特徴とする、請求項１に記載のモジュール型ソケット。
【請求項３】
前記第１導電ばね片の外側に、さらに、対応する第３導電ばね片がそれぞれ設けられ、電源線にそれぞれ可動的に接続されることを特徴とする、請求項１または２に記載のモジュール型ソケット。
【請求項４】
前記ソケット本体の前記凹溝の上縁部にフック部をそれぞれ設け、前記ケースの両側の内部には係止溝がそれぞれ対応して設けられ、前記係止溝に、着脱用の取付用孔が立設されてあることを特徴とする、請求項１に記載のモジュール型ソケット。
【請求項５】
前記ケース内側の底部に、さらに弾性部材を設けていることを特徴とする、請求項１に記載のモジュール型ソケット。
【請求項６】
前記延出部はＵ字状であることを特徴とする、請求項１に記載のモジュール型ソケット。
【考案の詳細な説明】
【技術分野】
【０００１】
本考案は、モジュール型ソケットに係り、特に、ケースおよびソケット本体の組合設計により、取付が便利で快速に交換及び修理し易く、交換コストが低下される効果を有する、様々なソケット台座、或いは類似の構造に適用するものである。
【背景技術】
【０００２】
一般、従来の壁面ソケット構造は、主に、金属殻、フレーム、ソケット本体およびケースを含み、該金属殻は、壁上に予め設けられた凹溝内に設けられ、該ソケット本体はフレーム上に設けられ、該ソケット本体の一端が電源線に電気的に接続され、該フレームがねじ部材で該金属殻に締め付けられ、また、該ソケット本体の他の端が、該ケースによりフレームの外に結合されるが、該押ボタンソケット構造は、電源を接続する機能を有するが、部材全体が多く、ソケット本体を交換する時に、先にソケットのケース及びフレームを取外しておき、さらに、ソケット本体をフレームから取り外して、かつ、ソケット本体の後端に差し込まれた電源線を外してから、ソケット本体を交換できるため、取替えの過程において大きな不便が存在しており、逆に、該壁面ソケットを組み立てる時に、同じく不便性があるため、実際に使用する時に依然使用者の要求に合っていない。
【考案の開示】
【考案が解決しようとする課題】
【０００３】
本考案の主な目的は、ケースおよびソケット本体の組合設計により、該ソケット本体は、両側に凹溝を対応して設けており、各凹溝の内側には第２導電ばね片が対応して設けられ、該ケースの両側の内部の第１導電ばね片が、該ソケット本体の両側の凹溝に対応して可動的に結合され、かつ、該ケースの両側の内部の第１導電ばね片が、該ソケット本体の両側の第２導電ばね片とは、互いに可動的に弾性当接され、該ソケット本体は２つの差込槽を設け、各差込槽内に第２導電ばね片の延出部が設けられることによって、取付便利や快速、交換及び修理し易く、交換コストが低下される効果を有し、全体の実用性および便利性を増加できるモジュール型ソケットを提供することにある。
【０００４】
本考案の次の目的は、該ケース内側の底部に弾性部材を設けることで、弾性部材の付勢力により該ソケット本体を押し出し易くなり、ひいて、該ソケット本体を取り出し易くなり、全体の実用性および便利性を増加できるモジュール型ソケットを提供することにある。
【課題を解決するための手段】
【０００５】
前記目的を達成するために、本考案に係るモジュール型ソケットは、ケースおよびソケット本体を含む。前記ケースの両側の内部に第１導電ばね片が設けられ、前記ソケット本体は、前記ケース内に可動的に結合され、前記ソケット本体は、両側に凹溝を対応して設けており、各凹溝の内側には第２導電ばね片が対応して設けられ、前記ケースの両側の内部の第１導電ばね片が、前記ソケット本体の両側の凹溝に対応して可動的に結合され、かつ、前記ケースの両側の内部の第１導電ばね片が、前記ソケット本体の両側の第２導電ばね片とは、互いに可動的に弾性当接され、前記ソケット本体は２つの差込槽を設け、各差込槽内に第２導電ばね片の延出部が設けられることによって、取付便利や快速、交換及び修理し易く、交換コストが低下され、全体の実用性、便利性および安全性を増加できる。
【０００６】
すなわち、本願の第１考案は、ケースと、前記ケース内に可動的に結合されるソケット本体と、を含むモジュール型ソケットであって、前記ケースの内部の両側には第１導電ばね片が設けられ、前記ソケット本体の両側には凹溝が設けられ、前記凹溝の内側には第２導電ばね片が対応して設けられ、前記ソケット本体には２つの差込槽が設けられ、各差込槽内には前記第２導電ばね片の延出部が配設され、前記第１導電ばね片が前記凹溝に対応して可動的に結合され、前記第１導電ばね片と第２導電ばね片とが互いに可動的に弾性当接される、モジュール型ソケットを提供することを要旨とする。
【０００７】
また、本願の第２考案は、前記第１導電ばね片および前記第２導電ばね片は、弧状に曲げられ、互いに可動的に弾性当接されることを特徴とする、本願の第１考案に記載のモジュール型ソケットを提供することを要旨とする。
【０００８】
また、本願の第３考案は、前記第１導電ばね片の外側に、さらに、対応する第３導電ばね片がそれぞれ設けられ、電源線にそれぞれ可動的に接続されることを特徴とする、本願の第１考案または第２考案に記載のモジュール型ソケットを提供することを要旨とする。
【０００９】
また、本願の第４考案は、前記ソケット本体の前記凹溝の上縁部にフック部をそれぞれ設け、前記ケースの両側の内部には係止溝がそれぞれ対応して設けられ、前記係止溝に、着脱用の取付用孔が立設されてあることを特徴とする、本願の第１考案に記載のモジュール型ソケットを提供することを要旨とする。
【００１０】
また、本願の第５考案は、前記ケース内側の底部に、さらに弾性部材を設けていることを特徴とする、本願の第１考案に記載のモジュール型ソケットを提供することを要旨とする。
【００１１】
また、本願の第６考案は、前記延出部はＵ字状であることを特徴とする、本願の第１考案に記載のモジュール型ソケットを提供することを要旨とする。
【考案の効果】
【００１２】
本考案によれば、取付が便利で、すばやく交換でき、かつ修理がし易く、交換コストが低下される効果を有し、全体の実用性、便利性および安全性が増加されることにある。
【考案を実施するための最良の形態】
【００１３】
本考案の他の特徴及び具体的な実施例は、後続の詳しく説明及び図示よりさらに了解できる。
【実施例】
【００１４】
図１〜図４に示すように、本考案に係るモジュール型ソケットは、ケース１０およびソケット本体２０を含む。
【００１５】
ケース１０の両側の内部には、第１導電ばね片１１が設けられ、該ケース１０の両側の内部の第１導電ばね片１１は、弧状に曲げられ、該ケース１０内側の底部にさらに弾性部材１５を設けている（該弾性部材１５は、ばねや、弾性片などであり、かつ、該弾性部材１５を設けなくてもよい）。
【００１６】
ソケット本体２０は、該ケース１０内に可動的に結合され、該ソケット本体２０は、両側に凹溝２１を対応して設けており、各凹溝２１の内側には第２導電ばね片２２が対応して設けられ、該ケース本体２０の両側の第２導電ばね片２２が弧状に曲げられ、該ケース１０の両側の内部の第１導電ばね片１１が、該ソケット本体２０の両側の凹溝２１に対応して可動的に結合され、かつ、該ケース１０の両側の内部の第１導電ばね片１１が、該ソケット本体２０の両側の第２導電ばね片２２とは、互いに可動的に弾性当接され、該ソケット本体２０は２つの差込槽２４を設け、各差込槽２４内に第２導電ばね片２２の延出部２２１が設けられる（該延出部２２１はＵ字状である）。
【００１７】
そのうち、該ケース１０の両側の内部の第１導電ばね片１１の外側に、さらに、対応する第３導電ばね片１２がそれぞれ設けられ、電源線３０にそれぞれ可動的に接続される。対応する第３導電ばね片１２を設けていないと、電源線３０を該ケース１０の両側の内部の第１導電ばね片１１に直接に電気的に接続しても良い。また、該ソケット本体２０は、両側に対応して設けている凹溝２１の上縁部にフック部２３をそれぞれ設け、該ケース１０の両側の内部には係止溝１３がそれぞれ対応して設けられ、両側の係止溝１３に、着脱し易いように取付用孔１４が上向きに立設される。
【００１８】
図１〜図４に示すように、本考案に係るモジュール型ソケットの特徴は、ケース１０およびソケット本体２０の組合設計により、該ソケット本体２０は、両側に凹溝２１を対応して設けており、各凹溝２１の内側には第２導電ばね片２２が対応して設けられる。
【００１９】
また、該ケース本体２０の両側の第２導電ばね片２２が弧状に曲げられ、該ケース１０の両側の内部の第１導電ばね片１１が、該ソケット本体２０の両側の凹溝２１に対応して可動的に結合される。
【００２０】
また、該ケース１０の両側の内部の第１導電ばね片１１が、該ソケット本体２０の両側の第２導電ばね片２２とは、互いに可動的に弾性当接され、該ソケット本体２０は２つの差込槽２４を設け、各差込槽２４内に第２導電ばね片２２の延出部２２１が設けられるため、組み立てる時に、該ケース１０と電源線３０のみを電気的に接続しておき、その後に、該ケース本体２０を該ケース１０内に便利およびすばやく装着することができる。
【００２１】
また、該ソケット本体２０の両側に対応して設けられた凹溝２１および各凹溝２１の内側に対応して設けられた第２導電ばね片２２により、該ケース１０の両側の内部の第１導電ばね片１１が、該ソケット本体２０の両側の凹溝２１に対応して可動的に結合され、かつ、該ケース１０の両側の内部の第１導電ばね片１１が、該ソケット本体２０の両側の第２導電ばね片２２とは、互いに可動的に弾性当接され、さらに、該ソケット本体２０の両側のフック部２３は、該ケース１０の両側の内部にそれぞれ対応して設けられた係止溝１３内に弾性的に係止し、安定な結合を形成できる。
【００２２】
また、該ソケット本体２０が損壊され修理する時に、工具で取付用孔１４に挿入することだけで、該ソケット本体２０の両側のフック部２３を該ケース１０の両側の内部にそれぞれ対応して設けられた係止溝１３内から離脱させ、該ソケット本体２０を便利かつ速やかに取り出して、修理や交換を行うことができる。
【００２３】
また、該ケース１０内側の底部には弾性部材１５が設けられ、弾性部材１５の付勢力により該ソケット本体２０を押し出し易くなり、ひいて、該ソケット本体２０を取り出し易くなることによって、取付便利や快速、交換及び修理し易く、交換コストが低下される効果を有し、全体の実用性、便利性および安全性が増加されることにある。
【００２４】
しかし、前記に開示された構成は、単に本考案の好ましい実施例に過ぎず、本考案の特徴を局限するものではなく、いずれの当該分野における通常の知識を有する専門家が本考案の分野の中で、適当に交換や修飾などを実施できる。
【図面の簡単な説明】
【００２５】
【図１】本考案の実施例を示す外観斜視図である。
【図２】本考案の実施例の素子分解を示す平面図である。
【図３】本考案の実施例を示す平面図である。
【図４】本考案の実施例を示す平面図である。
【符号の説明】
【００２６】
１０    ケース
１１    第１導電ばね片
１２    第３導電ばね片
１３    係止溝
１４    取付用孔
１５    弾性部材
２０    ソケット本体
２１    凹溝
２２    第２導電ばね片
２２１  延出部
２３    フック部
２４    差込槽
３０    電源線
【図１】
0003141489.tif 000003
【図２】
0003141489.tif 000004
【図３】
0003141489.tif 000005
【図４】
0003141489.tif 000006